(57)【要約】【課題】  同期する複数の音声ストリームを、デジタル出力端子とアナログ出力端子とから同時に出力する。【解決手段】  ディスク再生装置は、ＤＶＤから音声ストリームを読み出すシステムコントローラ１０と、デジタルデータを出力するデジタル出力端子ＨＤＭＩ４２，Ｓ／ＰＤＩＦ４３と、サブオーディオおよびエフェクトオーディオの音声ストリームをデコードするサブオーディオデコーダ５２およびエフェクトオーディオデコーダ５３と、デジタルデータをアナログデータに変換するＤＡＣ５７と、ＤＡＣ５７が出力するアナログデータを出力するアナログ出力端子４４と、メインオーディオの音声ストリームをデジタル出力端子４２に入力し、デコードされたサブオーディオおよびエフェクトオーディオの音声ストリームをＤＡＣ５７に入力する第１切換器５５および第２切換器５６と、を備える。【選択図】        図２
2007213663.tif 000002
【特許請求の範囲】
【請求項１】
記録媒体から第１の音声ストリームと前記第１の音声ストリームに同期する第２の音声ストリームとを読み出す読出手段と、
デジタルデータを出力するデジタル出力端子と、
前記第２の音声ストリームをデコードするデコード手段と、
デジタルデータをアナログデータに変換するアナログ変換手段と、
アナログ変換手段が出力するアナログデータを出力するアナログ出力端子と、
前記第１の音声ストリームを前記デジタル出力端子に入力し、前記デコードされた第２の音声ストリームを前記アナログ変換手段に入力する制御手段と、を備えた音声出力装置。
【請求項２】
前記第２の音声ストリームは、サブオーディオとエフェクトオーディオとの２つの音声ストリームを含み、
前記デコード手段は、前記サブオーディオをデコードする第１デコード手段と、
前記エフェクトオーディオをデコードする第２デコード手段とを含み、
前記デコードされたサブオーディオと、前記デコードされたエフェクトオーディオとをミキシングするミキシング手段をさらに備え、
前記制御手段は、前記ミキシングされたデジタルデータを前記アナログ変換手段に入力する、請求項１に記載の音声出力装置。
【発明の詳細な説明】
【技術分野】
【０００１】
この発明は音声再生装置に関し、特にＨＤ  ＤＶＤ（Ｈｉｇｈ  Ｄｅｆｉｎｉｔｉｏｎ−Ｄｉｇｉｔａｌ  Ｖｅｒｓａｔｉｌｅ  Ｄｉｓｃ）ビデオ規格で記録された音声を再生する音声再生装置に関する。
【背景技術】
【０００２】
現在、市場に流通しているＤＶＤ再生装置は、８つの音声ストリームのうちから選択された１つの音声ストリームが出力される。このため、音声回路は、１つの音声ストリームをビットストリームのまま出力する、または、デコードしたＬＰＣＭ（Ｌｉｎｅａｒ  Ｐｕｌｓｅ  Ｃｏｄｅ  Ｍｏｄｕｌａｔｉｏｎ）を出力するためのデジタル出力端子と、アナログに変換したアナログ信号を出力するためのアナログ出力端子とを備えている。
【０００３】
一方、ＨＤ  ＤＶＤ規格が定められ、ＨＤ  ＤＶＤ規格で記録された映像および音声を再生する再生装置の開発が進められている。ＨＤ  ＤＶＤ規格では、メインオーディオ、サブオーディオおよびエフェクトオーディオの３つの音声オブジェクトがＤＶＤに記録される。メインオーディオの音声オブジェクトは、８つの音声ストリームを含むことが可能であり、サブオーディオおよびエフェクトオーディオの音声オブジェクトは、それぞれ１つの音声ストリームを含む。メインオーディオの音声オブジェクトが含む最大で８つの音声ストリームそれぞれは、サブオーディオおよびエフェクトオーディオの音声オブジェクトそれぞれが含む音声ストリームと互いに同期する。ＨＤ  ＤＶＤ規格でＤＶＤに記録された３つの音声オブジェクトを出力する際には、メインオーディオの音声オブジェクトに含まれる最大で８つの音声ストリームのうちから選択された１つの音声ストリームと、サブオーディオおよびエフェクトオーディオの音声オブジェクトそれぞれが含む音声ストリームとが出力される。このためＤＶＤ再生装置に、３つの音声ストリームを出力するために、３つのデジタル出力端子および３つのアナログ出力端子を備えることが考えられるが、製造コストの面から現実的でない。
【０００４】
そこで、単一のデジタル出力端子またはアナログ出力端子から３つの音声ストリームのうちから選択されたものを出力させることが考えられるが、たとえば、メインオーディオを選択した場合には、メインオーディオ以外のサブオーディオおよびエフェクトオーディオは出力されないし、それらが存在することすらわからない。また、３つの音声ストリームをミキシングして出力させることが考えられるが、音質が低下するといった問題がある。例えば、メインオーディオがマルチチャンネルで、サブオーディオおよびエフェクトオーディオが２チャンネルの場合には、メインオーディオの音質が低下する。
【特許文献１】特開２００５−０８６４８６号公報
【発明の開示】
【発明が解決しようとする課題】
【０００５】
この発明は上述した問題点を解決するためになされたもので、この発明の目的の１つは、同期する複数の音声ストリームを、デジタル出力端子とアナログ出力端子とから同時に出力することが可能な音声出力装置を提供することである。
【課題を解決するための手段】
【０００６】
上述した目的を達成するために、この発明のある局面によれば、音声出力装置は、記録媒体から第１の音声ストリームと第１の音声ストリームに同期する第２の音声ストリームとを読み出す読出手段と、デジタルデータを出力するデジタル出力端子と、第２の音声ストリームをデコードするデコード手段と、デジタルデータをアナログデータに変換するアナログ変換手段と、アナログ変換手段が出力するアナログデータを出力するアナログ出力端子と、第１の音声ストリームをデジタル出力端子に入力し、デコードされた第２の音声ストリームをアナログ変換手段に入力する制御手段と、を備える。
【０００７】
この局面によれば、記録媒体から第１の音声ストリームと第２の音声ストリームとが読み出される。第１の音声ストリームがデジタル出力端子に入力され、第２の音声ストリームがデコードされて、アナログに変換された後、アナログ出力端子に入力される。このため、第１の音声ストリームをデジタル出力端子から出力させ、アナログに変換された第２の音声ストリームをアナログ出力端子から出力させることができる。その結果、同期する複数の音声ストリームを、デジタル出力端子とアナログ出力端子とから同時に出力することが可能な音声出力装置を提供することができる。
【０００８】
好ましくは、第２の音声ストリームは、サブオーディオとエフェクトオーディオとの２つの音声ストリームを含み、デコード手段は、サブオーディオをデコードする第１デコード手段と、エフェクトオーディオをデコードする第２デコード手段とを含み、デコードされたサブオーディオと、デコードされたエフェクトオーディオとをミキシングするミキシング手段をさらに備え、制御手段は、ミキシングされたデジタルデータをアナログ変換手段に入力する。
【０００９】
この局面によれば、第２の音声ストリームに含まれる２つの音声ストリームが、それぞれデコードされて１つのデジタルデータにミキシングされる。このため、第２の音声ストリームに含まれる２つの音声ストリームを同時に出力することができる。
【発明を実施するための最良の形態】
【００１０】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１１】
図１は、本発明の実施の形態の１つにおけるディスク再生装置の全体構成を示す図である。図１を参照して、ディスク再生装置１００は、画像および音声を圧縮符号化した画像データおよび音声データを記録したＤＶＤ２０が装着され、そのＤＶＤ２０から画像データおよび音声データを読み出して画像および音声を再生する。
【００１２】
ディスク再生装置１００は、ディスク再生装置１００の全体を制御するシステムコントローラ１０と、それぞれがシステムコントローラ１０に接続されたＬＡＮ（Ｌｏｃａｌ  Ａｒｅａ  Ｎｅｔｗｏｒｋ）インターフェース１５、操作部１２、表示部１３、読み出し用バッファ２６、再生バッファメモリ３８、デマルチプレクサ３１を含む。
【００１３】
ＤＶＤ２０は、スピンドルモータ２２によって回転される。サーボ回路２３は、スピンドルモータ２２の回転数、ピックアップ２１のフォーカスサーボおよびトラッキングサーボを制御する。ＤＶＤ２０に記録されたタイトルを再生する場合、ＤＶＤ２０に記録されたデータは、ピックアップ２１により読み取られる。ピックアップ２１は、ＤＶＤ２０で反射した光を受光し、受光した光を光電変換素子により電気信号に変換して、復調部２４に出力する。復調部２４に入力される電気信号は、ＤＶＤ２０への記録に適した信号に変調された信号であるため、復調部２４はこれを復調して元の形に戻す。誤り訂正部２５は、リードソロモン積符号（ＲＳ−ＰＣ）の訂正方式でエラー訂正し、エラー訂正したデータを読み出し用バッファ２６に記憶する。
【００１４】
システムコントローラ１０は、ナビゲーション情報解析部１１を含む。ナビゲーション情報解析部１１は、読み出し用バッファ２６からデータを読み出し、ナビゲーション情報を解析する。また、システムコントローラ１０は、読み出し用バッファ２６から読み出したビデオＰＥＳ（Ｐａｃｋｅｔｉｚｅｄ  Ｅｌｅｍｅｎｔａｒｙ  Ｓｔｒｅａｍ）とオーディオＰＥＳとを再生バッファメモリ３８に記憶する。
【００１５】
再生バッファメモリ３８に記憶されたビデオＰＥＳとオーディオＰＥＳとは、デマルチプレクサ３１で読み取られ、デマルチプレクサ３１は、ビデオＰＥＳをＭＰＥＧ（Ｍｏｖｉｎｇ  Ｐｉｃｔｕｒｅ  Ｅｘｐｅｒｔｓ  Ｇｒｏｕｐ）ビデオデコーダ３２に出力し、オーディオＰＥＳをオーディオ回路４１に出力する。オーディオＰＥＳは、メインオーディオの音声ストリームと、サブオーディオの音声ストリームと、エフェクトオーディオの音声ストリームとの３種類を含む。オーディオ回路４１は、システムコントローラ１０により制御され、３種類の音声ストリームを処理して、デジタル出力端子ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）４２、Ｓ／ＰＤＩＦ（Ｓｏｎｙ／Ｐｈｉｌｉｐｓ  Ｄｉｇｉｔａｌ  Ｉｎｔｅｒｆａｃｅ）４３およびアナログ出力端子４４から音声データを出力する。オーディオ回路４１の詳細は後述する。
【００１６】
ＭＰＥＧビデオデコーダ３２は、入力されたビデオＰＥＳをＭＰＥＧ方式で復号し、復号したビデオデータをビデオエンコーダ３３に出力する。ビデオエンコーダ３３は、ビデオデータをエンコードし、ビデオ出力端子３６に出力する。
【００１７】
ＬＡＮインターフェース１５は、ディスク再生装置１００をインターネット１６に接続するための通信用のインターフェースである。ここでは、ＬＡＮインターフェース１５は、インターネット１６に接続されており、システムコントローラ１０は、そのインターネットに接続されたコンピュータ１７と通信可能となっている。コンピュータ１７は、ＭＰＥＧ規格で圧縮符号化されたデータを蓄積しており、ディスク再生装置１００からの要求により、蓄積したデータを送信する。このため、ディスク再生装置１００は、コンピュータ１７から受信したデータを、上述したＤＶＤ２０から読み出したデータと同様にして、映像および音声を再生する。
【００１８】
操作部１２は、ディスク再生装置１００の前面に備えられた複数のボタンスイッチを有する。操作部１２では、ディスク再生装置１００を操作するユーザの指示の入力が受付けられる。また、操作部１２は、リモートコントローラ（リモコン）１４と赤外線による無線通信が可能となっている。リモコン１４は、操作部１２と同様の指示を入力するためのボタンスイッチを有する。このため、ユーザは、操作部１２に入力するのと同様の指示を、リモコン１４を用いて入力することができる。
【００１９】
表示部１３は、蛍光表示管であり、ディスク再生装置１００の動作状態の表示、操作部１２に入力されたユーザの指示の表示等を行う。なお、蛍光表示管に代えて、またはそれとともに液晶表示装置、有機エレクトロルミネッセンスディスプレイまたはＬＥＤ（Ｌｉｇｈｔ  Ｅｍｉｔｔｉｎｇ  Ｄｉｏｄｅ）パネル等を用いてもよい。
【００２０】
図２は、オーディオ回路の詳細な構成を示すブロック図である。図２を参照して、オーディオ回路４１には、メインオーディオの音声ストリームと、サブオーディオの音声ストリームと、エフェクトオーディオの音声ストリームとが入力される。オーディオ回路４１は、メインオーディオの音声ストリームをデコードするためのメインオーディオデコーダ５１と、サブオーディオの音声ストリームをデコードするためのサブオーディオデコーダ５２と、エフェクトオーディオの音声ストリームをデコードするためのエフェクトオーディオデコーダ５３と、オーディオミキシングエンジン５４と、第１切換器５５と、第２切換器５６と、デジタルアナログ変換部（ＤＡＣ）５７とを含む。
【００２１】
第１切換器５５は、メインオーディオの音声ストリーム（ビットストリーム）が入力され、出力端子ａまたは出力端子ｂのいずれかにメインオーディオの音声ストリームを出力する。出力端子ａは、第２切換器５６の入力端子ｂと接続され、出力端子ｂはメインオーディオデコーダ５１に接続される。第１切換器５５は、システムコントローラ１０により制御され、メインオーディオの音声ストリームを、第２切換器５６またはメインオーディオデコーダ５１のいずれかに出力する。
【００２２】
オーディオミキシングエンジン５４は、第１切換器５５が出力端子ｂ側に切換えられている場合、メインオーディオデコーダ５１からデコードされたメインオーディオが入力され、サブオーディオデコーダ５２からデコードされたサブオーディオが入力され、エフェクトオーディオデコーダ５３からデコードされたエフェクトオーディオが入力される。オーディオミキシングエンジン５４は、システムコントローラ１０により制御され、メインオーディオ、サブオーディオおよびエフェクトオーディオをミキシングしたＬＰＣＭを第２切換器５６の入力端子ａおよびＤＡＣ５７に出力する。オーディオミキシングエンジン５４は、第１切換器５５が出力端子ａ側に切換えられている場合、メインオーディオは入力されず、サブオーディオとエフェクトオーディオが入力され、サブオーディオとエフェクトオーディオをミキシングしたＬＰＣＭを切換器５６の入力端子ａおよびＤＡＣ５７に出力する。
【００２３】
第２切換器５６は、第１切換器５５が出力端子ｂ側に切換えられている場合、入力端子ａにメインオーディオ、サブオーディオおよびエフェクトオーディオをミキシングしたＬＰＣＭが入力され、第１切換器５５が出力端子ａ側に切換えられている場合、サブオーディオおよびエフェクトオーディオをミキシングしたＬＰＣＭが入力される。また、第１切換器５５が出力端子ａ側に切換えられている場合、入力端子ｂに第１切換器５５の出力、すなわちメインオーディオの音声ストリームが入力される。第２切換器５６は、システムコントローラ１０により制御され、入力端子ａに入力されるＬＰＣＭと、入力端子ｂに入力されるメインオーディオの音声ストリームとのいずれかを、デジタル出力端子ＨＤＭＩ４２，Ｓ／ＰＤＩＦ４３に出力する。
【００２４】
システムコントローラ１０は、ユーザが操作部１２に入力した音声出力設定に従って、第１切換器５５および第２切換器５６を切換える。操作部１２への音声出力設定の入力は、リモコン１４への入力を含む。システムコントローラ１０は、デジタル出力の音声出力設定が、メインオーディオ出力のみに設定されている場合、第１切換器５５を出力端子ａ側に切換え、第２切換器５６を入力端子ｂ側に切換える。システムコントローラ１０は、デジタル出力の音声出力設定が、メインオーディオ出力のみに設定されていなければ、第１切換器５５を出力端子ｂ側に切換え、第２切換器５６を入力端子ａ側に切換える。
【００２５】
ＤＡＣ５７は、オーディオミキシングエンジン５４から入力されるメインオーディオ、サブオーディオおよびエフェクトオーディオをミキシングしたＬＰＣＭの音声信号をアナログに変換して、アナログ出力端子４４に出力する。
【００２６】
第１切換器５５が出力端子ａ側に切換えられている場合、第２切換器５６は入力端子ｂ側に切換えられるので、サブオーディオとエフェクトオーディオをミキシングしたＬＰＣＭが、ＤＡＣ５７に出力される。このため、デジタル出力端子ＨＤＭＩ４２，Ｓ／ＰＤＩＦ４３からは、メインオーディオの音声ストリームが出力され、アナログ出力端子４４からは、サブオーディオとエフェクトオーディとをミキシングしたアナログの音声が出力される。したがって、メインオーディオをマルチチャンネルで出力して音質を維持しつつ、サブオーディオおよびエフェクトオーディオをアナログで出力することができる。なお、サブオーディオがマルチチャンネルの場合には、オーディオミキシングエンジン５４は、チャンネル数をＬＰＣＭで出力可能なチャンネル数にまで減少させるダウンミックス処理が実行される。
【００２７】
一方、第１切換器５５が出力端子ｂ側に切換えられている場合、第２切換器５６は入力端子ａ側に切換えられるので、メインオーディオ、サブオーディオおよびエフェクトオーディオをミキシングしたＬＰＣＭが、デジタル出力端子ＨＤＭＩ４２，Ｓ／ＰＤＩＦ４３から出力され、アナログ出力端子４４からは、メインオーディオ、サブオーディオおよびエフェクトオーディをミキシングしたアナログの音声が出力される。この場合、メインオーディオがマルチチャンネルの場合には、オーディオミキシングエンジン５４では、チャンネル数をＬＰＣＭで出力可能なチャンネル数にまで減少させるダウンミックス処理が実行される。
【００２８】
なお、本実施の形態においては、第１切換器５５を備える例を示したが、第１切換器５５を備えることなく、メインオーディオの音声ストリームをメインオーディオデコーダ５１および第２切換器５６の入力端子ｂそれぞれに入力するようにしてもよい。この場合、オーディオミキシングエンジン５４は、第２切換器５６が入力端子ｂ側に切換えられている場合、メインオーディオをミキシングすることなく、サブオーディオとエフェクトオーディオのみをミキシングして、ミキシングしたＬＰＣＭをＤＡＣ５７に出力する。
【００２９】
以上説明したように本実施の形態におけるディスク再生装置１００は、ＤＶＤ２０からメインオーディオ、サブオーディオおよびエフェクトオーディオの音声ストリームが読み出される。メインオーディオの音声ストリームがデジタル出力端子ＨＤＭＩ４２，Ｓ／ＰＤＩＦ４３に入力され、サブオーディオおよびエフェクトオーディオの音声ストリームがデコードされ、アナログに変換されて、アナログ出力端子４４に入力される。このため、メインオーディオの音声ストリームをデジタル出力端子ＨＤＭＩ４２，Ｓ／ＰＤＩＦ４３から出力させ、アナログに変換されたサブオーディオおよびエフェクトオーディオをアナログ出力端子４４から出力させることができる。その結果、メインオーディオの音質を維持しつつ出力するとともに、サブオーディオおよびエフェクトオーディオをメインオーディオに同期してアナログの音声として出力することができる。
【００３０】
また、サブオーディオとエフェクトオーディオの音声ストリームが、それぞれデコードされて１つのＬＰＣＭにミキシングされる。このため、サブオーディオとエフェクトオーディオを同時に１つのアナログ出力端子４４から出力することができる。
【００３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３２】
【図１】本発明の実施の形態の１つにおけるディスク再生装置の全体構成を示す図である。
【図２】オーディオ回路の詳細な構成を示すブロック図である。
【符号の説明】
【００３３】
１０  システムコントローラ、１１  ナビゲーション情報解析器、１２  操作部、１３  表示部、１４  リモコン、１５  ＬＡＮインターフェース、１６  インターネット、１７  コンピュータ、２０  ＤＶＤ、２１  ピックアップ、２２  スピンドルモータ、２３  サーボ回路、２４  復調部、２５  誤り訂正部、２６  読み出し用バッファ、３１  デマルチプレクサ、３２  ＭＰＥＧビデオデコーダ、３３  ビデオエンコーダ、３６  ビデオ出力端子、３８  再生バッファメモリ、４１  オーディオ回路、４２  ＨＤＭＩ、４３  Ｓ／ＦＤＩＦ、４４  アナログ出力端子、５１  メインオーディオデコーダ、５２  サブオーディオデコーダ、５３  エフェクトオーディオデコーダ、５４  オーディオミキシングエンジン、５５  第１切換器、５６  第２切換器、１００  ディスク再生装置。
【図１】
2007213663.tif 000003
【図２】
2007213663.tif 000004